(57)【要約】【課題】一戸建て住宅や小規模なオフィス等に好適な宅配ボックスを、ユーザーの利便性を向上しつつ簡素な構成で実現する手法を提供する。【解決手段】宅配ボックスシステム１におけるドア用錠装置２は、宅配ボックス３が付設された住宅の玄関ドアに設けられる装置である。このドア用錠装置２は、ユーザーの施錠操作又は解錠操作に応じて玄関ドアの施錠又は解錠を行うドア用錠ユニット２０と、ユーザーに情報を表示する表示部３０と、ボックス本体６０内の着荷状況を取得する取得部５３と、ドア制御部５４とを有している。この場合、ドア制御部５４は、ドア用錠ユニット２０に対してユーザーの解錠操作が行われた状況において、ボックス本体６０内に荷物が着荷している場合には、表示部３０を制御して荷物の着荷を報知するとともに、宅配ボックス３に設けられたボックス用錠装置７０を制御してボックスドア６１の解錠を行う。【選択図】図２
2019124079.tif 000002
【特許請求の範囲】
【請求項１】
一つのボックス本体と一つのボックスドアとを備えて荷物の預け入れ及び取り出しが可能な宅配ボックスであって当該宅配ボックスが付設された建物の建物ドアに設けられるドア用錠装置において、
ユーザーの施錠操作又は解錠操作に応じて前記建物ドアの施錠又は解錠を行うドア用錠ユニットと、
ユーザーに情報を報知する報知部と、
前記ボックス本体内の着荷状況を取得する取得部と、
前記ドア用錠ユニットに対してユーザーの解錠操作が行われた状況において、前記ボックス本体内に荷物が着荷している場合には、前記報知部を制御して荷物の着荷を報知するとともに、前記宅配ボックスに設けられたボックス用錠装置を制御して前記ボックスドアの解錠を行うドア制御部と、を有する
ドア用錠装置。
【請求項２】
前記ドア制御部は、
前記ボックスドアの解錠を行った後に施錠タイマーを開始させ、当該施錠タイマーが規定の判定時間に到達することを条件に、前記ボックス用錠装置を制御して前記ボックスドアの施錠を行う
請求項１記載のドア用錠装置。
【請求項３】
前記ドア制御部は、
建物の屋内側からのユーザーの解錠操作であるか、それとも建物の屋外側からのユーザーの解錠操作であるかを判断する
請求項１又は２記載のドア用錠装置。
【請求項４】
前記ドア制御部は、
建物の屋内側からのユーザーの解錠操作である場合には、ユーザーの解錠操作の後に前記建物ドアが閉状態から開状態へと切り替わり、かつ、前記ボックス本体内に荷物が着荷していることを条件に、前記報知部を制御して荷物の着荷を報知するとともに、前記ボックス用錠装置を制御して前記ボックスドアの解錠を行う
請求項３記載のドア用錠装置。
【請求項５】
荷物の預け入れ及び取り出しが可能な宅配ボックスと、
前記宅配ボックスが付設された建物の建物ドアに設けられるドア用錠装置と、を備える宅配ボックスシステムにおいて、
前記宅配ボックスは、
荷物を収容可能な一つのボックス本体と、
前記ボックス本体に設けられ、開閉可能な一つのボックスドアと、
前記ボックスドアの施錠又は解錠を行うボックス用錠装置と、
前記ボックス本体内の着荷状況を識別する識別部と、
前記ドア用錠装置と通信を行う通信部と、
前記ボックス本体内に着荷状況に応じて前記ドア用錠装置に着荷状況通知を送信するとともに、前記ドア用錠装置から解錠指示を受信した場合に前記ボックス用錠装置を制御して前記ボックスドアの解錠を行うボックス制御部と、を有し、
前記ドア用錠装置は、
ユーザーの施錠操作又は解錠操作に応じて前記建物ドアの施錠又は解錠を行うドア用錠ユニットと、
ユーザーに情報を報知する報知部と、
前記宅配ボックスと通信を行う通信部と、
前記ドア用錠ユニットに対してユーザーの解錠操作が行われた状況において、前記宅配ボックスから送信される前記着荷状況通知に基づいて前記ボックス本体内に荷物が着荷していることを判定した場合には、前記報知部を制御して荷物の着荷を報知するとともに、前記宅配ボックスに対して解錠指示を送信するドア制御部と、を有する
宅配ボックスシステム。
【請求項６】
前記ボックス制御部は、
前記ボックスドアの解錠を行った後に施錠タイマーを開始させ、当該施錠タイマーが規定の判定時間に到達することを条件に、前記ボックス用錠装置を制御して前記ボックスドアの施錠を行う
請求項５記載の宅配ボックスシステム。
【請求項７】
前記ドア制御部は、
建物の屋内側からのユーザーの解錠操作であるか、それとも建物の屋外側からのユーザーの解錠操作であるかを判断する
請求項５又は６記載の宅配ボックスシステム。
【請求項８】
前記ドア制御部は、
建物の屋内側からのユーザーの解錠操作である場合には、ユーザーの解錠操作の後に前記建物ドアが閉状態から開状態へと切り替わり、かつ、前記ボックス本体内に荷物が着荷していることを条件に、前記報知部を制御して荷物の着荷を報知するとともに、前記宅配ボックスに対して解錠指示を送信する
請求項７記載の宅配ボックスシステム。
【請求項９】
建物に付設され、荷物の預け入れ及び取り出しが可能な宅配ボックスにおいて、
建物の建物ドアには、ドア用錠装置が設けられており、
前記ドア用錠装置は、
ユーザーの施錠操作又は解錠操作に応じて前記建物ドアの施錠又は解錠を行うドア用錠ユニットと、ユーザーに情報を報知する報知部と、を有しており、
前記宅配ボックスは、
内部に荷物を収容可能な一つのボックス本体と、
前記ボックス本体に設けられ、開閉可能な一つのボックスドアと、
前記ボックスドアの施錠又は解錠を行うボックス用錠装置と、
前記ボックス本体内の着荷状況を識別する識別部と、
前記ドア用錠ユニットに対するユーザーの操作状況を取得する取得部と、
前記ドア用錠ユニットに対してユーザーの解錠操作が行われた状況において、前記ボックス本体内に荷物が着荷している場合には、前記ドア用錠装置の前記報知部を制御して荷物の着荷を報知するとともに、前記ボックス用錠装置を制御して前記ボックスドアの解錠を行うボックス制御部と、を有する
宅配ボックス。
【発明の詳細な説明】
【技術分野】
【０００１】
本発明は、ドア用錠装置、宅配ボックスシステム及び宅配ボックスに関する。
【背景技術】
【０００２】
従来より、住宅に宅配ボックスを設置して、住人に宅配する荷物を宅配ボックスに預け入れるシステムが知られている。このようなシステムは、複数の世帯が入居する集合住宅において広く普及している。集合住宅に用いられる宅配ボックスは、複数のボックス本体及びこれらのボックス本体に対応した複数のボックスドア、並びに、ユーザー等が操作の際に利用する表示画面等を備えている。そのため、ユーザーは、表示画面等を利用することで、荷物の着荷状況や荷物の取り出し手順等を把握することができる。
【０００３】
また、例えば特許文献１には、配達物収納ボックス内の配達物の有無をドアの解錠操作だけで自動的に確認できる配達物の受け取り報知システムが開示されている。このシステムでは、集合住宅の共用の場所に、部屋毎に配達物を受け取るための配達物収納ボックス群が設けられている。一方、集合住宅の共用の出入口には、オートロック施錠式のドアと、ドアを解錠するためのドア解錠手段とが設けられている。ドア解錠手段の近傍には、ドアを解錠操作したときにその解錠操作によって特定される部屋に対応する配達物収納ボックス内の着荷状況を知らせるための着荷報知手段が設けられている。
【０００４】
一方で、宅配業界においては再配達件数の増加が問題となっており、一戸建て住宅や小規模なオフィス等においても、小型の宅配ボックスを設置する動きが広がっている。
【先行技術文献】
【特許文献】
【０００５】
【特許文献１】特開２００２−３４７７２号公報
【発明の概要】
【発明が解決しようとする課題】
【０００６】
しかしながら、集合住宅に用いられる宅配ボックスと異なり、一戸建て住宅等に用いられる宅配ボックスにあっては、住宅一棟等を単位にエンドユーザーに販売されるものであるから、コスト面での制約が大きい。このため、採用できる仕様には制限があり、宅配ボックスの構成は簡素であることが必要となるが、このような制約のなかでもユーザーの利便性を向上したものが求められている。
【０００７】
また、一戸建て住宅等の宅配ボックスは、建物の玄関先や門扉の近傍に設置されることが想定される。そのため、荷物の着荷状況を確認する際に、その都度宅配ボックスを訪ねることは大きな手間であり、ユーザーの生活動線のなかで宅配ボックスの着荷状況を認識できることが好ましい。
【０００８】
本発明はかかる事情に鑑みてなされたものであり、その目的は、一戸建て住宅や小規模なオフィス等に好適な宅配ボックスを、ユーザーの利便性を向上しつつ簡素な構成で実現する手法を提供することである。
【課題を解決するための手段】
【０００９】
かかる課題を解決するために、第１の発明は、一つのボックス本体と一つのボックスドアとを備えて荷物の預け入れ及び取り出しが可能な宅配ボックスであって当該宅配ボックスが付設された建物の建物ドアに設けられるドア用錠装置を提供する。このドア用錠装置は、ユーザーの施錠操作又は解錠操作に応じて建物ドアの施錠又は解錠を行うドア用錠ユニットと、ユーザーに情報を報知する報知部と、ボックス本体内の着荷状況を取得する取得部と、ドア用錠ユニットに対してユーザーの解錠操作が行われた状況において、ボックス本体内に荷物が着荷している場合には、報知部を制御して荷物の着荷を報知するとともに、宅配ボックスに設けられたボックス用錠装置を制御してボックスドアの解錠を行うドア制御部と、を有している。
【００１０】
ここで、第１の発明において、ドア制御部は、ボックスドアの解錠を行った後に施錠タイマーを開始させ、当該施錠タイマーが規定の判定時間に到達することを条件に、ボックス用錠装置を制御してボックスドアの施錠を行うことが好ましい。
【００１１】
また、第１の発明において、ドア制御部は、建物の屋内側からのユーザーの解錠操作であるか、それとも建物の屋外側からのユーザーの解錠操作であるかを判断することが好ましい。
【００１２】
さらに、第１の発明において、ドア制御部は、建物の屋内側からのユーザーの解錠操作である場合には、ユーザーの解錠操作の後に建物ドアが閉状態から開状態へと切り替わり、かつ、ボックス本体内に荷物が着荷していることを条件に、報知部を制御して荷物の着荷を報知するとともに、ボックス用錠装置を制御してボックスドアの解錠を行うことが好ましい。
【００１３】
また、第２の発明は、荷物の預け入れ及び取り出しが可能な宅配ボックスと、宅配ボックスが付設された建物の建物ドアに設けられるドア用錠装置と、を備える宅配ボックスシステムを提供する。ここで、宅配ボックスは、荷物を収容可能な一つのボックス本体と、ボックス本体に設けられ、開閉可能な一つのボックスドアと、ボックスドアの施錠又は解錠を行うボックス用錠装置と、ボックス本体内の着荷状況を識別する識別部と、ドア用錠装置と通信を行う通信部と、ボックス本体内に着荷状況に応じてドア用錠装置に着荷状況通知を送信するとともに、ドア用錠装置から解錠指示を受信した場合にボックス用錠装置を制御してボックスドアの解錠を行うボックス制御部と、を有している。一方、ドア用錠装置は、ユーザーの施錠操作又は解錠操作に応じて建物ドアの施錠又は解錠を行うドア用錠ユニットと、ユーザーに情報を報知する報知部と、宅配ボックスと通信を行う通信部と、ドア用錠ユニットに対してユーザーの解錠操作が行われた状況において、宅配ボックスから送信される着荷状況通知に基づいてボックス本体内に荷物が着荷していることを判定した場合には、報知部を制御して荷物の着荷を報知するとともに、宅配ボックスに対して解錠指示を送信するドア制御部と、を有している。
【００１４】
ここで、第２の発明において、ボックス制御部は、ボックスドアの解錠を行った後に施錠タイマーを開始させ、当該施錠タイマーが規定の判定時間に到達することを条件に、ボックス用錠装置を制御してボックスドアの施錠を行うことが好ましい。
【００１５】
また、第２の発明において、ドア制御部は、建物の屋内側からのユーザーの解錠操作であるか、それとも建物の屋外側からのユーザーの解錠操作であるかを判断することが好ましい。
【００１６】
また、第２の発明において、ドア制御部は、建物の屋内側からのユーザーの解錠操作である場合には、ユーザーの解錠操作の後に建物ドアが閉状態から開状態へと切り替わり、かつ、ボックス本体内に荷物が着荷していることを条件に、報知部を制御して荷物の着荷を報知するとともに、宅配ボックスに対して解錠指示を送信することが好ましい。
【００１７】
また、第３の発明は、建物に付設され、荷物の預け入れ及び取り出しが可能な宅配ボックスを提供する。ここで、建物の建物ドアには、ドア用錠装置が設けられており、このドア用錠装置は、ユーザーの施錠操作又は解錠操作に応じて建物ドアの施錠又は解錠を行うドア用錠ユニットと、ユーザーに情報を報知する報知部と、を有している。そして、宅配ボックスは、内部に荷物を収容可能な一つのボックス本体と、ボックス本体に設けられ、開閉可能な一つのボックスドアと、ボックスドアの施錠又は解錠を行うボックス用錠装置と、ボックス本体内の着荷状況を識別する識別部と、ドア用錠ユニットに対するユーザーの操作状況を取得する取得部と、ドア用錠ユニットに対してユーザーの解錠操作が行われた状況において、ボックス本体内に荷物が着荷している場合には、ドア用錠装置の報知部を制御して荷物の着荷を報知するとともに、ボックス用錠装置を制御してボックスドアの解錠を行うボックス制御部と、を有している。
【発明の効果】
【００１８】
本発明によれば、宅配ボックスと建物ドアに設けられるドア用錠装置とが連動することとなる。これにより、一戸建て住宅や小規模なオフィス等に好適な宅配ボックスを、ユーザーの利便性を向上しつつ簡素な構成で実現することができる。
【図面の簡単な説明】
【００１９】
【図１】第１の実施形態に係る宅配ボックスシステムの構成を示す説明図
【図２】第１の実施形態に係るドア用錠装置及び宅配ボックスの制御構成を示すブロック図
【図３】宅配ボックスシステムにおけるドア用錠装置の処理を示すフローチャート
【図４】宅配ボックスシステムにおけるドア用錠装置の処理を示すフローチャート
【図５】第２の実施形態に係るドア用錠装置及び宅配ボックスの制御構成を示すブロック図
【図６】宅配ボックスシステムにおけるドア用錠装置の処理を示すフローチャート
【図７】宅配ボックスシステムにおける宅配ボックスの処理を示すフローチャート
【図８】第３の実施形態に係るドア用錠装置及び宅配ボックスの制御構成を示すブロック図
【発明を実施するための形態】
【００２０】
（第１の実施形態）
以下、本実施形態に係る宅配ボックスシステム１を、一戸建て住宅Ｈ（以下単に「住宅Ｈ」という）に適用して説明する。ここで、図１は、本実施形態に係る宅配ボックスシステム１の構成を示す説明図であり、図２は、本実施形態に係るドア用錠装置２及び宅配ボックス３の制御構成を示すブロック図である。
【００２１】
宅配ボックスシステム１は、ドア用錠装置２と、宅配ボックス３とで構成されている。ドア用錠装置２は、住宅Ｈの玄関を開閉する玄関ドア５に設置されている。玄関ドア５は、蝶番装置（図示せず）を介してドア枠に開閉自在に連結されている。一方、宅配ボックス３は、住宅Ｈの屋外、例えば門扉の近傍又は玄関前に設置されている。
【００２２】
ドア用錠装置２は、操作ハンドル１０と、ドア用錠ユニット２０と、表示部３０と、リーダー４０と、ドア制御装置５０とを主体に構成されている。
【００２３】
操作ハンドル１０は、玄関ドア５の屋外側に固定されるアウトサイドハンドル１１と、玄関ドア５の屋内側に固定されるインサイドハンドル１２と、インサイドハンドル１２の近傍に配置されるサムターン１３とを備えている。アウトサイドハンドル１１とインサイドハンドル１２とは、ドア用錠ユニット２０を挟んで配置されている。アウトサイドハンドル１１、インサイドハンドル１２及びサムターン１３は、ユーザーによって操作される操作部材である。
【００２４】
ドア用錠ユニット２０は、玄関ドア５の施解錠（施錠又は解錠）を行う手段であり、本実施形態では電気錠が採用されている。ドア用錠ユニット２０は、デッドボルト２１と、アクチュエーター２２と、ラッチボルト２３とを主体に構成されている。デッドボルト２１は、玄関ドア５のドア枠に固定されるストライクに対して進退し、玄関ドア５の施解錠を行う。アクチュエーター２２は、デッドボルト２１を進退させるための駆動源であり、例えばモータ等が用いられている。ラッチボルト２３は、ドア枠のストライクに係止して玄関ドア５の閉扉状態を維持する。
【００２５】
ドア制御装置５０によって制御されるアクチュエーター２２の動作に応じて、デッドボルト２１を進出又は退避させることができる。あるいは、サムターン１３を解錠方向又は施錠方向へと操作することで、デッドボルト２１を進出又は退避させることができる。この進退操作により、玄関ドア５の施解錠を行うことができる。また、アウトサイドハンドル１１又はインサイドハンドル１２をハンドル操作することで、ラッチボルト２３を操作することができる。この操作により、ストライクに対するラッチボルト２３の係止状態が解除される。ラッチボルト２３の係止状態が解除されると、玄関ドア５が解錠されていることを条件に、玄関ドア５を開扉することができる。
【００２６】
表示部３０は、ユーザーに情報を報知する報知部である。表示部３０は、例えばＬＥＤから構成されており、点灯状態又は点滅状態等を用いて、情報を報知する。表示部３０は、玄関ドア５の屋外側に配置されているが、玄関ドア５の屋外側及び屋内側にそれぞれ設けられてもよい。表示部３０の制御は、ドア制御装置５０により行われる。
【００２７】
リーダー４０は、非接触通信を利用して、ユーザーが所持する電子キーＫから情報を読み取る装置である。電子キーＫには、例えばＲＦＩＤ（Radio Frequency Identifier）に準拠したＩＣタグが組み込まれている。ここで、ＲＦＩＤとは、１３．５６ＭＨｚ帯の周波数において電磁誘導技術を用いてＩＣカード内の情報を近距離通信により受信するものである。リーダー４０は、ＲＦＩＤに準拠して構成されている。玄関ドア５のアウトサイドハンドル１１の近傍には、リーダー４０のアンテナ部が配設されている。電子キーＫがアンテナ部に翳されると、リーダー４０は、電子キーＫに記録されている情報を読み取り、この読み取った情報をドア制御装置５０へと出力する。
【００２８】
ドア制御装置５０は、ドア用錠装置２を制御する機能を担っている。ドア制御装置５０としては、ＣＰＵ、ＲＯＭ、ＲＡＭ、Ｉ／Ｏインターフェースを主体に構成されたマイクロコンピュータを用いることができる。ＣＰＵは、制御プログラムに従い、各種の制御を行う（プロセッサ）。ＲＯＭは、ＣＰＵが実行するプログラム、又はそのプログラムを実行するために必要なデータを記憶する。ＲＡＭは、ＣＰＵがプログラムを実行する際の作業領域である。なお、ドア制御装置５０の機能の詳細については後述する。
【００２９】
宅配ボックス３は、住宅Ｈに設置される小型の宅配ボックスであり、住宅Ｈの住人（ユーザー）により利用される。この宅配ボックス３は、宅配業者が住人宛に宅配する荷物を預け入れる荷物預入の機能等を備えている。
【００３０】
宅配ボックス３は、一つのボックス本体６０と、一つのボックスドア６１と、ボックス用錠装置７０とを主体に構成されている。
【００３１】
ボックス本体６０は、荷物を収容する筐体であり、荷物を出し入れするために、前面側が開放された造りとなっている。ボックス本体６０の前面には、ボックスドア６１が開閉可能に取り付けられている。ボックスドア６１は、トーションスプリング等の付勢手段により、閉扉方向に付勢されている。そのため、開扉したボックスドア６１からユーザーが手を離すことで、ボックスドア６１は、閉扉位置（ボックス用錠装置７０によって施錠が可能な位置）まで移動する。なお、ボックスドア６１は、ユーザーが開扉したボックスドア６１を閉扉位置まで手動で操作する構成であってもよい。
【００３２】
ボックス本体６０の上部には、ポスト６５が設置されている。ポスト６５は、郵便物を受け取る筐体であり、荷物を出し入れするために、前面側が開放された造りとなっている。ポスト６５の前面には、ダイヤル錠を備えた扉が開閉可能に取り付けられている。また、この扉の前面には、当該扉を目隠しする、開閉可能なカバー６６が設けられている。
【００３３】
ボックス用錠装置７０は、宅配ボックス３、すなわち、ボックスドア６１の施解錠を行う装置であり、本実施形態では電気錠が採用されている。ボックス用錠装置７０は、デッドボルトと、アクチュエーターとを主体に構成されており、例えばボックスドア６１に設けられている。デッドボルトは、ボックス本体６０に固定されるストライクに対して進退し、ボックスドア６１の施解錠を行う。アクチュエーターは、デッドボルトを進退させるための駆動源であり、例えばモータ等が用いられている。ドア用錠装置２のドア制御装置５０によって制御されるアクチュエーターの動作に応じて、デッドボルトを進出又は退避させることができる。この進退操作により、ボックスドア６１の施解錠を行うことができる。
【００３４】
また、宅配ボックス３は、閉扉センサー８０、荷物センサー８１及び解錠ボタン８２をさらに備えている。
【００３５】
閉扉センサー８０は、ボックスドア６１が閉扉位置にあるか否かを検知するセンサーである。閉扉センサー８０は、例えばボックス本体６０に設けられている。閉扉センサー８０の検知信号は、ドア用錠装置２のドア制御装置５０によって取得される。
【００３６】
荷物センサー８１は、宅配ボックス３（ボックス本体６０）内の荷物の有無を検知し、これにより、ボックス本体６０内の着荷状況を識別する。換言すれば、荷物センサー８１は、宅配ボックス３が使用中であるか、それとも非使用中であるかを識別する機能を担っている。荷物センサー８１としては、荷物の重量に反応して検知信号のオンオフが切り替わる圧力センサー、荷物が機械的に干渉することで検知信号のオンオフが切り替わるスイッチ等を用いることができる。また、荷物センサー８１は、宅配業者やユーザーによって操作される操作手段で構成されてもよい。具体的には、宅配業者の荷物の預け入れ又はユーザーの荷物の取り出しに際して操作することで、荷物の着荷状況を識別するようにしてもよい。荷物センサー８１の検知信号は、ドア用錠装置２のドア制御装置５０により取得される。
【００３７】
解錠ボタン８２は、ユーザー又は宅配業者により操作される操作手段であり、例えばボックスドア６１の表面側に配置されている。この解錠ボタン８２は、ボックス本体６０に荷物を預け入れる宅配業者により、ボックスドア６１を解錠するために操作される。解錠ボタン８２が操作されると、解錠ボタン８２からドア用錠装置２のドア制御装置５０へと解錠操作信号が送信される。
【００３８】
本実施形態の特徴の一つとして、ドア用錠装置２のドア制御装置５０は、信号線１００を介して宅配ボックス３に設けられた閉扉センサー８０、荷物センサー８１、解錠ボタン８２及びボックス用錠装置７０と接続されている。すなわち、ドア制御装置５０は、閉扉センサー８０又は荷物センサー８１から検知信号を取得したり、解錠ボタン８２から解錠操作信号を取得したりすることができる。また、ドア制御装置５０は、ボックス用錠装置７０を制御することができる。
【００３９】
また、ドア制御装置５０には、玄関ドア５に設けられた図示しない検知手段からの検知信号が入力されている。この検知信号により、ドア制御装置５０は、ドア用錠ユニット２０に対する解錠操作又は施錠操作、玄関ドア５が閉状態から開状態へと切り替わったこと等の各種の状態を検知することができる。
【００４０】
本実施形態との関係において、ドア制御装置５０は、記憶部５１、認証部５２、取得部５３及びドア制御部５４としての機能を備えている。
【００４１】
記憶部５１は、各種のプログラムやデータを格納している。例えば、記憶部５１には、正当なユーザーが所持する電子キーＫに記録された認証情報が格納されている。
【００４２】
認証部５２は、リーダー４０によって電子キーＫが読み取られると、当該電子キーＫが正当な電子キーＫであるかの認証を行う。具体的には、認証部５２は、リーダー４０が電子キーＫから読み取った情報と、記憶部５１に格納されている認証情報とを比較する。認証部５２は、リーダー４０が読み取った情報が、記憶部５１の認証情報と一致した場合には、読み取りが行われた電子キーＫを、正当な電子キーＫであると認証する。認証部５２による認証結果は、ドア制御部５４に出力される。
【００４３】
取得部５３は、閉扉センサー８０及び荷物センサー８１から検知信号を取得したり、解錠ボタン８２から解錠操作信号を取得したりする。取得部５３は、これらの信号を取得すると、これをドア制御部５４に出力する。すなわち、取得部５３は、ボックスドア６１の閉扉状況、宅配ボックス３（ボックス本体６０）内の着荷状況を取得したり、解錠ボタン８２の操作状況を取得したりする機能を担っている。
【００４４】
ドア制御部５４は、ドア用錠ユニット２０を制御する機能と、宅配ボックス３を制御する機能と、ドア用錠装置２と宅配ボックス３とを連携する機能と、を備えている。
【００４５】
＜ドア用錠ユニット２０を制御する機能＞
ドア制御部５４は、ドア用錠ユニット２０を制御して、玄関ドア５の施解錠を行う。具体的には、ドア制御部５４は、電子キーＫの認証を条件として、アクチュエーター２２へ駆動信号を出力する。この駆動信号に応じてアクチュエーター２２が駆動することで、デッドボルト２１が進出位置から退避位置へと動作し、これにより、玄関ドア５が解錠される。
【００４６】
＜宅配ボックス３を制御する機能＞
ドア制御部５４は、宅配ボックス３のボックス用錠装置７０を制御して、宅配ボックス３の施解錠、すなわち、ボックスドア６１の施解錠を行う。具体的には、ドア制御部５４は、ボックスドア６１の閉扉を判断すると、ボックスドア６１の施錠を行う。この際、宅配ボックス３に荷物が着荷している場合、すなわち、宅配ボックス３が使用中である場合には、ドア制御部５４は、ボックスドア６１の本施錠を行う。一方、宅配ボックス３に荷物がない場合、すなわち、宅配ボックス３が非使用中である場合には、ドア制御部５４は、ボックスドア６１の仮施錠を行う。仮施錠及び本施錠は、どちらもボックス用錠装置７０によりボックスドア６１が施錠された状態であることに変わりはないが、制御上両者を区別するためのものである。具体的には、仮施錠と本施錠とは、解錠ボタン８２からの解錠操作信号を受けて、ドア制御部５４が、ボックスドア６１の解錠を行うか、それともボックスドア６１の施錠を継続するかという点において相違する。すなわち、ドア制御部５４は、宅配ボックス３の非使用中、すなわち、ボックスドア６１の仮施錠中に、解錠操作信号を取得した場合には、ボックスドア６１の解錠を行う。したがって、ドア制御部５４は、宅配ボックス３の使用中、すなわち、ボックスドア６１の本施錠中に解錠操作信号を受信しても、ボックスドア６１の解錠を行わない。
【００４７】
＜ドア用錠装置２と宅配ボックス３とを連携する機能＞
ドア制御部５４は、ドア用錠ユニット２０に対してユーザーの解錠操作が行われた状況において、宅配ボックス３内に荷物が着荷している場合には、表示部３０を制御して荷物の着荷を報知するとともに、ボックス用錠装置７０を制御してボックスドア６１の解錠を行う。ドア用錠ユニット２０に対するユーザーの解錠操作は、例えば、認証部５２における電子キーＫの認証が成立したこと、サムターン１３の解錠方向への操作を検知したこと、デッドボルト２１の退避動作を検知したこと等を参考に判定することができる。また、宅配ボックス３内に荷物が着荷しているか否かは、荷物センサー８１から取得される宅配ボックス３（ボックス本体６０）内の着荷状況から判定することができる。
【００４８】
以下、本実施形態に係る宅配ボックスシステム１における処理の流れを説明する。本実施形態に係る宅配ボックスシステム１の処理は、ドア用錠装置２を主体に実行される。ここで、図３，４は、宅配ボックスシステム１におけるドア用錠装置２の処理を示すフローチャートである。このフローチャートに示す処理は、ドア制御装置５０によって実行される。
【００４９】
ステップＳ１０において、ドア制御装置５０は、荷物センサー８１の検知信号を取得し、宅配ボックス３に荷物が着荷しているか否かを判断する。着荷状態である場合には、ステップＳ１０において肯定判定され、ステップＳ１１に進む。一方、着荷状態でない場合には、ステップＳ１０において否定判定され、ステップＳ１２に進む。
【００５０】
ステップＳ１１において、ドア制御装置５０は、宅配ボックス３の状態を示す状態フラグを使用中に更新する。これに対して、ステップＳ１２において、ドア制御装置５０は、状態フラグを非使用中に更新する。
【００５１】
ステップＳ１３において、ドア制御装置５０は、ドア用錠ユニット２０に対して屋外側からユーザーの解錠操作が行われたか否かを判断する。屋外側からのユーザーの解錠操作には、電子キーＫの認証を伴うため、ドア制御装置５０は、電子キーＫの認証結果に基づいて、ステップＳ１３の判断を行う。屋外側からユーザーの解錠操作が行われた場合には、ステップＳ１３において肯定判定され、ステップＳ１４に進む。一方、屋外側からユーザーの解錠操作が行われていない場合には、ステップＳ１３において否定判定され、ステップＳ１９に進む。
【００５２】
ステップＳ１４において、ドア制御装置５０は、玄関ドア５の解錠を行う。
【００５３】
ステップＳ１５において、ドア制御装置５０は、状態フラグを参照し、宅配ボックス３が使用中であるか否かを判断する。宅配ボックス３が使用中である場合には、ステップＳ１５において肯定判定され、ステップＳ１６に進む。一方、宅配ボックス３が非使用中である場合には、ステップＳ１５において否定判定され、ステップＳ１９に進む。
【００５４】
ステップＳ１６において、ドア制御装置５０は、表示部３０に着荷状態を示す表示を行う。
【００５５】
ステップＳ１７において、ドア制御装置５０は、ボックスドア６１の解錠を行う。
【００５６】
ステップＳ１８において、ドア制御装置５０は、ボックスドア６１の施錠を解錠後の経過時間に応じて管理するための施錠タイマーを開始させる。
【００５７】
ステップＳ１９において、ドア制御装置５０は、ドア用錠ユニット２０に対して屋内側からユーザーの解錠操作が行われたか否かを判断する。屋内側からのユーザーの解錠操作には、サムターン１３の解錠方向への操作を伴うため、ドア制御装置５０は、サムターン１３の解錠方向への操作を検知したか否かにより、ステップＳ１９の判断を行う。屋内側からユーザーの解錠操作が行われた場合には、ステップＳ１９において肯定判定され、ステップＳ２０に進む。一方、屋内側からユーザーの解錠操作が行われていない場合には、ステップＳ１９において否定判定され、ステップＳ２１に進む。
【００５８】
ステップＳ２０において、ドア制御装置５０は、玄関ドア５を監視するための監視タイマーを開始させる。
【００５９】
ステップＳ２１において、ドア制御装置５０は、監視タイマーが動作中であるか否かを判断する。監視タイマーが動作中である場合には、ステップＳ２１において肯定判定され、ステップＳ２２に進む。一方、監視タイマーが動作中でない場合には、ステップＳ２１において否定判定され、ステップＳ２８に進む。
【００６０】
ステップＳ２２において、ドア制御装置５０は、玄関ドア５が閉状態から開状態へと切り替わったか否かを判断する。玄関ドア５が閉状態から開状態へと切り替わった場合には、ステップＳ２２において肯定判定され、ステップＳ２３に進む。一方、玄関ドア５が閉状態のままの場合には、ステップＳ２２において否定判定され、ステップＳ２８に進む。
【００６１】
ステップＳ２３において、ドア制御装置５０は、監視タイマーを停止させるとともに、監視タイマーのカウント値をリセットする。
【００６２】
ステップＳ２４において、ドア制御装置５０は、状態フラグを参照し、宅配ボックス３が使用中であるか否かを判断する。宅配ボックス３が使用中である場合には、ステップＳ２４において肯定判定され、ステップＳ２５に進む。一方、宅配ボックス３が非使用中である場合には、ステップＳ２４において否定判定され、ステップＳ２８に進む。
【００６３】
ステップＳ２５において、ドア制御装置５０は、表示部３０に着荷状態を示す表示を行う。
【００６４】
ステップＳ２６において、ドア制御装置５０は、ボックスドア６１の解錠を行う。
【００６５】
ステップＳ２７において、ドア制御装置５０は、施錠タイマーを開始させる。
【００６６】
ステップＳ２８において、ドア制御装置５０は、ドア用錠ユニット２０に対して施錠操作が行われたか否かを判断する。施錠操作には、サムターン１３の施錠方向への操作を伴うため、ドア制御装置５０は、サムターン１３の施錠方向への操作を検知したか否かにより、ステップＳ２８の判断を行う。施錠操作が行われた場合には、ステップＳ２８において肯定判定され、ステップＳ２９に進む。一方、施錠操作が行われていない場合には、ステップＳ２８において否定判定され、ステップＳ３１に進む。
【００６７】
ステップＳ２９において、ドア制御装置５０は、ボックスドア６１の施錠を行う。宅配ボックス３に荷物が着荷している場合、すなわち、宅配ボックス３が使用中である場合には、ドア制御装置５０は、ボックスドア６１の本施錠を行う。一方、宅配ボックス３に荷物がない場合、すなわち、宅配ボックス３が非使用中である場合には、ドア制御装置５０は、ボックスドア６１の仮施錠を行う。
【００６８】
ステップＳ３０において、ドア制御装置５０は、施錠タイマーを停止させるとともに、施錠タイマーのカウント値をリセットする。
【００６９】
ステップＳ３１において、ドア制御装置５０は、施錠タイマーが動作中であるか否かを判断する。施錠タイマーが動作中である場合には、ステップＳ３１において肯定判定され、ステップＳ３２に進む。一方、施錠タイマーが動作中でない場合には、ステップＳ３１において否定判定され、本ルーチンを終了する（ＲＥＴＵＲＮ）。
【００７０】
ステップＳ３２において、ドア制御装置５０は、施錠タイマーのカウント値が規定の判定時間に到達したか否かを判断する。判定時間は、ボックスドア６１が解錠されたまま放置されることを規制するための値であり、その最適値が予め設定されている。施錠タイマーのカウント値が判定時間に到達している場合には、ステップＳ３２において肯定判定され、ステップＳ３３に進む。一方。施錠タイマーのカウント値が判定時間に到達していない場合には、ステップＳ３２において否定判定され、本ルーチンを終了する（ＲＥＴＵＲＮ）。
【００７１】
ステップＳ３３において、ドア制御装置５０は、ボックスドア６１の施錠を行う。宅配ボックス３に荷物が着荷している場合、すなわち、宅配ボックス３が使用中である場合には、ドア制御装置５０は、ボックスドア６１の本施錠を行う。一方、宅配ボックス３に荷物がない場合、すなわち、宅配ボックス３が非使用中である場合には、ドア制御装置５０は、ボックスドア６１の仮施錠を行う。
【００７２】
ステップＳ３４において、ドア制御装置５０は、施錠タイマーを停止させるとともに、施錠タイマーのカウント値をリセットする。
【００７３】
このように本実施形態に係るドア用錠装置２は、宅配ボックス３が付設された住宅Ｈの玄関ドア５に設けられるドア用錠装置である。このドア用錠装置２は、ユーザーの施錠操作又は解錠操作に応じて玄関ドア５の施錠又は解錠を行うドア用錠ユニット２０と、ユーザーに情報を表示する表示部３０と、ボックス本体６０内の着荷状況を取得する取得部５３（ドア制御装置５０）と、ドア制御部５４（ドア制御装置５０）とを有している。この場合、ドア制御部５４は、ドア用錠ユニット２０に対してユーザーの解錠操作が行われた状況において、ボックス本体６０内に荷物が着荷している場合には、表示部３０を制御して荷物の着荷を報知するとともに、宅配ボックス３に設けられたボックス用錠装置７０を制御してボックスドア６１の解錠を行う。
【００７４】
この構成によれば、ドア用錠装置２が宅配ボックス３と連動することとなる。このため、宅配ボックス３の操作を行わずとも、ドア用錠装置２の操作のみで、宅配ボックス３の操作が可能となる。これにより、ユーザーにとって利便性の高い宅配ボックス３を提供することができる。また、本実施形態によれば、ドア用錠装置２に宅配ボックス３の着荷状態が反映されるので、玄関ドア５を利用する生活動線の中で、宅配ボックス３の着荷状態を認識することができる。この結果、その都度宅配ボックス３を訪ねて着荷状況を確認するといった手間を省くことができる。これにより、住宅Ｈに好適な宅配ボックス３を、ユーザーの利便性を向上しつつ簡素な構成で実現することができる。
【００７５】
また、本実施形態において、ドア制御部５４は、ボックスドア６１の解錠を行った後に施錠タイマーを開始させ、この施錠タイマーが規定の判定時間に到達することを条件に、ボックス用錠装置７０を制御してボックスドア６１の施錠を行っている。
【００７６】
この構成によれば、ドア用錠装置２に連動して宅配ボックス３が解錠された場合であっても、一定の時間が経過することで宅配ボックス３が施錠されることとなる。これより、宅配ボックス３の解錠を意識せずにドア用錠装置２を解錠したようなケースであっても、宅配ボックス３が解錠されたままの状態となるといったことを抑制することができる。これにより、宅配ボックス３が他人に開けられてしまうといった事態を抑制することができるので、利便性の向上を図ることができる。
【００７７】
また、本実施形態において、ドア制御部５４は、住宅Ｈの屋内側からのユーザーの解錠操作であるか、それとも住宅Ｈの屋外側からのユーザーの解錠操作であるかを判断している。
【００７８】
この構成によれば、ユーザーの生活動線の違いに応じて、適切な制御を行うことができる。これにより、ユーザーの利便性の向上を図ることができる。
【００７９】
また、本実施形態において、ドア制御部５４は、住宅Ｈの屋内側からのユーザーの解錠操作である場合には、ユーザーの解錠操作の後に玄関ドア５が閉状態から開状態へと切り替わり、かつ、宅配ボックス３内に荷物が着荷していることを条件に、表示部３０を制御して荷物の着荷を報知するとともに、ボックス用錠装置７０を制御してボックスドア６１の解錠を行っている。
【００８０】
この構成によれば、屋内側で解錠操作がされても、ユーザーが玄関ドア５から出て屋外側へと移動しない限り、宅配ボックス３が解錠されない。このため、ユーザーが屋内に止まっている状況では、宅配ボックス３は施錠されたままとなるので、宅配ボックス３が他人に開けられてしまうといった事態を抑制することができる。これにより、ユーザーの利便性の向上を図ることができる。
【００８１】
また、本実施形態によれば、ドア用錠装置２が主体的に制御を行う構成となっているため、宅配ボックス３を簡素に構成することができる。
【００８２】
（第２の実施形態）
以下、本実施形態に係る宅配ボックスシステム１について説明する。本実施形態に係る宅配ボックスシステム１が、第１の実施形態のそれと相違する点は、ドア用錠装置２と宅配ボックス３とがそれぞれ制御機能を備えている点である。第１の実施形態と重複する内容についての説明は省略し、以下、相違点を中心に説明を行う。ここで、図５は、本実施形態に係るドア用錠装置２及び宅配ボックス３の制御構成を示すブロック図である。
【００８３】
ドア用錠装置２は、操作ハンドル１０と、ドア用錠ユニット２０と、表示部３０と、リーダー４０と、ドア制御装置５０と、通信部５５とを主体に構成されている。第１の実施形態におけるドア用錠装置２との相違点は、ドア制御装置５０の制御内容と、通信部５５を備えることである。
【００８４】
ドア制御装置５０は、記憶部５１、認証部５２、ドア制御部５４としての機能を備えている。記憶部５１及び認証部５２の各機能は、第１の実施形態と同じである。また、本実施形態では、通信部５５を備える関係上、取得部５３の機能は省略されている。
【００８５】
本実施形態において、ドア制御部５４は、ドア用錠ユニット２０を制御する機能と、ドア用錠装置２と宅配ボックス３とを連携する機能と、を備えている。なお、ドア用錠ユニット２０を制御する機能については、第１の実施形態と同様である。
【００８６】
＜ドア用錠装置２と宅配ボックス３とを連携する機能＞
ドア制御部５４には、通信部５５を介して、宅配ボックス３のボックス制御装置９０から宅配ボックス３内の着荷状況（使用中又は非使用中）が送信されている。ドア制御部５４は、ドア用錠ユニット２０に対してユーザーの解錠操作が行われた際に、宅配ボックス３が使用中である場合には、表示部３０を制御して荷物の着荷を報知する。また、ドア制御部５４は、この報知とともに、通信部５５を介して宅配ボックス３に対して解錠指示を送信する。この解錠指示は、宅配ボックス３（ボックスドア６１）の解錠を指示する指令である。
【００８７】
通信部５５は、ドア用錠装置２のドア制御装置５０と、宅配ボックス３のボックス制御装置９０とで通信を行うための通信インターフェースである。通信部５５は、通信線１１０を介して、宅配ボックス３の通信部９５と接続されている。
【００８８】
宅配ボックス３は、一つのボックス本体６０と、一つのボックスドア６１と、ボックス用錠装置７０と、ボックス制御装置９０と、通信部９５とを主体に構成されている。また、宅配ボックス３は、閉扉センサー８０、荷物センサー８１及び解錠ボタン８２も備えている。第１の実施形態における宅配ボックス３との相違点は、ボックス制御装置９０及び通信部９５を備える点である。
【００８９】
ボックス制御装置９０は、宅配ボックス３を制御する機能を担っている。ボックス制御装置９０としては、ＣＰＵ、ＲＯＭ、ＲＡＭ、Ｉ／Ｏインターフェースを主体に構成されたマイクロコンピュータを用いることができる。ＣＰＵは、制御プログラムに従い、各種の制御を行う（プロセッサ）。ＲＯＭは、ＣＰＵが実行するプログラム、又はそのプログラムを実行するために必要なデータを記憶する。ＲＡＭは、ＣＰＵがプログラムを実行する際の作業領域である。なお、ドア制御装置５０の機能の詳細については後述する。
【００９０】
本実施形態との関係において、ボックス制御装置９０は、記憶部９１及びボックス制御部９３としての機能を備えている。
【００９１】
記憶部９１は、各種のプログラムやデータを格納している。
【００９２】
ボックス制御部９３は、宅配ボックス３を制御する機能と、ドア用錠装置２と宅配ボックス３とを連携する機能とを備えている。
【００９３】
＜宅配ボックス３を制御する機能＞
ボックス制御部９３は、ボックス用錠装置７０を制御して、宅配ボックス３の施解錠、すなわち、ボックスドア６１の施解錠を行う。具体的には、ボックス制御部９３は、ボックスドア６１の閉扉を判断すると、ボックスドア６１の施錠を行う。この際、宅配ボックス３に荷物が着荷している場合、すなわち、宅配ボックス３が使用中である場合には、ボックス制御部９３は、ボックスドア６１の本施錠を行う。一方、宅配ボックス３に荷物がない場合、すなわち、宅配ボックス３が非使用中である場合には、ボックス制御部９３は、ボックスドア６１の仮施錠を行う。仮施錠及び本施錠は、どちらもボックス用錠装置７０によりボックスドア６１が施錠された状態であることに変わりはないが、制御上両者を区別するためのものである。具体的には、仮施錠と本施錠とは、解錠ボタン８２からの解錠操作信号を受けて、ボックス制御部９３が、ボックスドア６１の解錠を行うか、それともボックスドア６１の施錠を継続するかという点において相違する。すなわち、ボックス制御部９３は、宅配ボックス３の非使用中、すなわち、ボックスドア６１の仮施錠中に、解錠操作信号を取得したことを条件に、ボックスドア６１の解錠を行う。したがって、ボックス制御部９３は、宅配ボックス３の使用中、すなわち、ボックスドア６１の本施錠中に解錠操作信号を受信しても、ボックスドア６１の解錠を行わない。
【００９４】
＜ドア用錠装置２と宅配ボックス３とを連携する機能＞
ボックス制御部９３には、通信部９５を介して、ドア用錠装置２から解錠指示又は施錠指示が送信されている。ボックス制御部９３は、ドア用錠装置２から解錠指示又は施錠指示を受信した場合には、ボックスドア６１の解錠又は施錠を行う。
【００９５】
通信部９５は、ドア用錠装置２のドア制御装置５０と、宅配ボックス３のボックス制御装置９０とで通信を行うための通信インターフェースである。
【００９６】
以下、本実施形態に係る宅配ボックスシステム１における処理の流れを説明する。本実施形態に係る宅配ボックスシステム１の処理は、ドア用錠装置２及び宅配ボックス３を主体に実行される。ここで、図６は、宅配ボックスシステム１におけるドア用錠装置２の処理を示すフローチャートである。このフローチャートに示す処理は、ドア制御装置５０によって実行される。図７は、宅配ボックスシステム１における宅配ボックス３の処理を示すフローチャートである。このフローチャートに示す処理は、ボックス制御装置９０によって実行される。
【００９７】
まず、宅配ボックスシステム１におけるドア用錠装置２の処理について説明する。ステップＳ４０において、ドア制御装置５０は、ドア用錠ユニット２０に対して屋外側からユーザーの解錠操作が行われたか否かを判断する。屋外側からのユーザーの解錠操作には、電子キーＫの認証を伴うため、ドア制御装置５０は、電子キーＫの認証結果に基づいて、ステップＳ４０の判断を行う。屋外側からユーザーの解錠操作が行われた場合には、ステップＳ４０において肯定判定され、ステップＳ４１に進む。一方、屋外側からユーザーの解錠操作が行われていない場合には、ステップＳ４０において否定判定され、ステップＳ４５に進む。
【００９８】
ステップＳ４１において、ドア制御装置５０は、玄関ドア５の解錠を行う。
【００９９】
ステップＳ４２において、ドア制御装置５０は、宅配ボックス３の状態を示す状態フラグを参照し、宅配ボックス３が使用中であるか否かを判断する。宅配ボックス３が使用中である場合には、ステップＳ４２において肯定判定され、ステップＳ４３に進む。一方、宅配ボックス３が非使用中である場合には、ステップＳ４２において否定判定され、ステップＳ４５に進む。
【０１００】
ステップＳ４３において、ドア制御装置５０は、表示部３０に着荷状態を示す表示を行う。
【０１０１】
ステップＳ４４において、ドア制御装置５０は、通信部５５を介して、宅配ボックス３のボックス制御装置９０に解錠指示を送信する。
【０１０２】
ステップＳ４５において、ドア制御装置５０は、ドア用錠ユニット２０に対して屋内側からユーザーの解錠操作が行われたか否かを判断する。屋内側からのユーザーの解錠操作には、サムターン１３の解錠方向への操作を伴うため、ドア制御装置５０は、サムターン１３の解錠方向への操作を検知したか否かにより、ステップＳ４５の判断を行う。屋内側からユーザーの解錠操作が行われた場合には、ステップＳ４５において肯定判定され、ステップＳ４６に進む。一方、屋内側からユーザーの解錠操作が行われていない場合には、ステップＳ４５において否定判定され、ステップＳ４７に進む。
【０１０３】
ステップＳ４６において、ドア制御装置５０は、玄関ドア５を監視する監視タイマーを開始させる。
【０１０４】
ステップＳ４７において、ドア制御装置５０は、監視タイマーが動作中であるか否かを判断する。監視タイマーが動作中である場合には、ステップＳ４７において肯定判定され、ステップＳ４８に進む。一方、監視タイマーが動作中でない場合には、ステップＳ４７において否定判定され、ステップＳ５３に進む。
【０１０５】
ステップＳ４８において、ドア制御装置５０は、玄関ドア５が閉状態から開状態へと切り替わったか否かを判断する。玄関ドア５が閉状態から開状態へと切り替わった場合には、ステップＳ４８において肯定判定され、ステップＳ４９に進む。一方、玄関ドア５が閉状態のままの場合には、ステップＳ４８において否定判定され、ステップＳ５３に進む。
【０１０６】
ステップＳ４９において、ドア制御装置５０は、監視タイマーを停止させるとともに、監視タイマーのカウント値をリセットする。
【０１０７】
ステップＳ５０において、ドア制御装置５０は、状態フラグを参照し、宅配ボックス３が使用中であるか否かを判断する。宅配ボックス３が使用中である場合には、ステップＳ５０において肯定判定され、ステップＳ５１に進む。一方、宅配ボックス３が非使用中である場合には、ステップＳ５０において否定判定され、ステップＳ５３に進む。
【０１０８】
ステップＳ５１において、ドア制御装置５０は、表示部３０に着荷状態を示す表示を行う。
【０１０９】
ステップＳ５２において、ドア制御装置５０は、通信部５５を介して、宅配ボックス３のボックス制御装置９０に解錠指示を送信する。
【０１１０】
ステップＳ５３において、ドア制御装置５０は、ドア用錠ユニット２０に対して施錠操作が行われたか否かを判断する。施錠操作には、サムターン１３の施錠方向への操作を伴うため、ドア制御装置５０は、サムターン１３の施錠方向への操作を検知したか否かの判断により、ステップＳ５３の判断を行う。施錠操作が行われた場合には、ステップＳ５３において肯定判定され、ステップＳ５４に進む。一方、施錠操作が行われていない場合には、ステップＳ５３において否定判定され、ステップＳ５５に進む。
【０１１１】
ステップＳ５４において、ドア制御装置５０は、通信部５５を介して、宅配ボックス３のボックス制御装置９０に施錠指示を送信する。
【０１１２】
ステップＳ５５において、ドア制御装置５０は、宅配ボックス３のボックス制御装置９０から通信があったか否かを判断する。ボックス制御装置９０から通信があった場合には、ステップＳ５５において肯定判定され、ステップＳ５６に進む。一方、ボックス制御装置９０から通信がない場合には、ステップＳ５５において否定判定され、本ルーチンを終了する（ＲＥＴＵＲＮ）。
【０１１３】
ステップＳ５６において、ドア制御装置５０は、ボックス制御装置９０から受信した着荷状況通知に応じて、ボックス状態を更新する。
【０１１４】
つぎに、宅配ボックスシステム１における宅配ボックス３の処理について説明する。まず、ステップＳ６０において、ボックス制御装置９０は、ドア用錠装置２のドア制御装置５０から通信があったか否かを判断する。ドア制御装置５０から通信があった場合には、ステップＳ６０において肯定判定され、ステップＳ６１に進む。一方、ドア制御装置５０から通信がない場合には、ステップＳ６０において否定判定され、ステップＳ６７に進む。
【０１１５】
ステップＳ６１において、ボックス制御装置９０は、ドア制御装置５０から解錠指示を受信したか否かを判断する。ドア制御装置５０から解錠指示を受信した場合には、ステップＳ６１において肯定判定され、ステップＳ６２に進む。ドア制御装置５０から解錠指示を受信していない場合には、ステップＳ６１において否定判定され、ステップＳ６４に進む。
【０１１６】
ステップＳ６２において、ボックス制御装置９０は、ボックスドア６１の解錠を行う。
【０１１７】
ステップＳ６３において、ボックス制御装置９０は、ボックスドア６１の施錠を解錠後の経過時間に応じて管理するための施錠タイマーを開始させる。
【０１１８】
ステップＳ６４において、ボックス制御装置９０は、ドア制御装置５０から施錠指示を受信したか否かを判断する。ドア制御装置５０から施錠指示を受信した場合には、ステップＳ６４において肯定判定され、ステップＳ６５に進む。一方、ドア制御装置５０から施錠指示を受信していない場合には、ステップＳ６４において否定判定され、ステップＳ６７に進む。
【０１１９】
ステップＳ６５において、ボックス制御装置９０は、ボックスドア６１の施錠を行う。宅配ボックス３に荷物が着荷している場合、すなわち、宅配ボックス３が使用中である場合には、ボックス制御装置９０は、ボックスドア６１の本施錠を行う。一方、宅配ボックス３に荷物がない場合、すなわち、宅配ボックス３が非使用中である場合には、ボックス制御装置９０は、ボックスドア６１の仮施錠を行う。
【０１２０】
ステップＳ６６において、ドア制御装置５０は、施錠タイマーを停止させるとともに、施錠タイマーのカウント値をリセットする。
【０１２１】
ステップＳ６７において、ボックス制御装置９０は、荷物センサー８１を参照し、宅配ボックス３から荷物が受け取られたか否かを判断する。着荷が受け取られた場合には、荷物センサー８１において荷物無しが検知される。この場合、ステップＳ６７において肯定判定され、ステップＳ６８に進む。一方、着荷が受け取られていない場合には、荷物センサー８１において荷物有りが検知される。この場合、ステップＳ６７において否定判定され、ステップＳ６９に進む。
【０１２２】
ステップＳ６８において、ボックス制御装置９０は、通信部９５を介して、ドア用錠装置２のドア制御装置５０と通信を行う。この通信により、宅配ボックス３が非使用中であるとの内容が、着荷状況通知として送信される。
【０１２３】
ステップＳ６９において、ボックス制御装置９０は、宅配ボックス３に荷物が預け入れられたか否かを判断する。宅配ボックス３への荷物の預け入れは、解錠操作信号を受信していること、かつ、荷物センサー８１において荷物有りが検知されていることを条件に判断することができる。荷物が預け入れられた場合には、ステップＳ６９において肯定判定され、ステップＳ７０に進む。一方、荷物が預け入れられていない場合には、ステップＳ６９において否定判定され、ステップＳ７１に進む。
【０１２４】
ステップＳ７０において、ボックス制御装置９０は、通信部９５を介して、ドア用錠装置２のドア制御装置５０と通信を行う。この通信により、宅配ボックス３が使用中であるとの内容が、着荷状況通知として送信される。
【０１２５】
ステップＳ７１において、ボックス制御装置９０は、施錠タイマーのカウント値が規定の判定時間に到達したか否かを判断する。判定時間は、ボックスドア６１が解錠されたまま放置されることを規制するための値であり、その最適値が予め設定されている。施錠タイマーのカウント値が判定時間に到達している場合には、ステップＳ７１において肯定判定され、ステップＳ７２に進む。一方。施錠タイマーのカウント値が判定時間に到達していない場合には、ステップＳ７１において否定判定され、本ルーチンを終了する（ＲＥＴＵＲＮ）。
【０１２６】
ステップＳ７２において、ボックス制御装置９０は、ボックスドア６１の施錠を行う。宅配ボックス３に荷物が着荷している場合、すなわち、宅配ボックス３が使用中である場合には、ボックス制御装置９０は、ボックスドア６１の本施錠を行う。一方、宅配ボックス３に荷物がない場合、すなわち、宅配ボックス３が非使用中である場合には、ボックス制御装置９０は、ボックスドア６１の仮施錠を行う。
【０１２７】
ステップＳ７３において、ボックス制御装置９０は、施錠タイマーを停止させるとともに、施錠タイマーのカウント値をリセットする。
【０１２８】
このように本実施形態に係る宅配ボックスシステム１は、荷物の預け入れ及び取り出しが可能な宅配ボックス３と、宅配ボックス３が付設された住宅Ｈの玄関ドア５に設けられるドア用錠装置２と、を備えている。この場合、宅配ボックス３は、荷物を収容可能な一つのボックス本体６０と、ボックス本体６０に設けられ、開閉可能な一つのボックスドア６１と、ボックスドア６１の施解錠を行うボックス用錠装置７０と、ボックス本体６０内の着荷状況を識別する荷物センサー８１（識別部）と、ドア用錠装置２と通信を行う通信部９５と、ボックス制御部９３（ボックス制御装置９０）とを有している。一方、ドア用錠装置２は、ユーザーの施錠操作又は解錠操作に応じて玄関ドア５の施錠又は解錠を行うドア用錠ユニット２０と、ユーザーに情報を表示する表示部３０と、宅配ボックス３と通信する通信部５５と、ドア制御部５４（ドア制御装置５０）とを有している。
【０１２９】
この場合、ボックス制御部９３は、ボックス本体６０内の着荷状況に応じてドア用錠装置２に着荷状況通知を送信するとともに、ドア用錠装置２から解錠指示を受信した場合にボックスドア６１の解錠を行う。一方、ドア制御部５４は、ドア用錠ユニット２０に対するユーザーの解錠操作が行われた際に、宅配ボックス３から送信される着荷状況通知に基づいてボックス本体６０内に荷物が着荷していることを判定した場合には、表示部３０を制御して荷物の着荷を報知するとともに、宅配ボックス３に対して解錠指示を送信する。
【０１３０】
この構成によれば、ドア用錠装置２が宅配ボックス３と連動することとなる。このため、宅配ボックス３の操作を行わずとも、ドア用錠装置２の操作のみで、宅配ボックス３の操作が可能となる。これにより、ユーザーにとって利便性の高い宅配ボックス３を提供することができる。また、本実施形態によれば、ドア用錠装置２に宅配ボックス３の着荷状態が反映されるので、玄関ドア５を利用する生活動線の中で、宅配ボックス３の着荷状態を認識することができる。この結果、その都度宅配ボックス３を訪ねて着荷状況を確認するといった手間を省くことができる。これにより、住宅Ｈに好適な宅配ボックス３を、ユーザーの利便性を向上しつつ簡素な構成で実現することができる。
【０１３１】
（第３の実施形態）
以下、本実施形態に係る宅配ボックスシステム１について説明する。本実施形態に係る宅配ボックスシステム１が、第１の実施形態又は第２の実施形態のそれと相違する点は、宅配ボックス３が主たる制御機能を備えている点である。第１の実施形態又は第２の実施形態と重複する内容についての説明は省略し、以下、相違点を中心に説明を行う。ここで、図８は、本実施形態に係るドア用錠装置２及び宅配ボックス３の制御構成を示すブロック図である。
【０１３２】
ドア用錠装置２は、操作ハンドル１０と、ドア用錠ユニット２０と、表示部３０と、リーダー４０と、ドア制御装置５０とを主体に構成されている。第１の実施形態におけるドア用錠装置２との相違点は、ドア制御装置５０の制御内容である。
【０１３３】
ドア制御装置５０は、記憶部５１、認証部５２、ドア制御部５４としての機能を備えている。記憶部５１及び認証部５２の各機能は、第１の実施形態と同じである。また、本実施形態では、取得部５３の機能は省略されている。
【０１３４】
本実施形態において、ドア制御部５４は、ドア用錠ユニット２０を制御する機能を備えている。なお、ドア用錠ユニット２０を制御する機能については、第１の実施形態と同様である。
【０１３５】
これに対して、宅配ボックス３は、一つのボックス本体６０と、一つのボックスドア６１と、ボックス用錠装置７０と、ボックス制御装置９０とを主体に構成されている。第１の実施形態における宅配ボックス３との相違点は、ボックス制御装置９０を備える点である。
【０１３６】
ボックス制御装置９０は、宅配ボックス３を制御する機能を担っている。ボックス制御装置９０としては、ＣＰＵ、ＲＯＭ、ＲＡＭ、Ｉ／Ｏインターフェースを主体に構成されたマイクロコンピュータを用いることができる。ＣＰＵは、制御プログラムに従い、各種の制御を行う（プロセッサ）。ＲＯＭは、ＣＰＵが実行するプログラム、又はそのプログラムを実行するために必要なデータを記憶する。ＲＡＭは、ＣＰＵがプログラムを実行する際の作業領域である。なお、ドア制御装置５０の機能の詳細については後述する。
【０１３７】
本実施形態の特徴の一つとして、ボックス制御装置９０は、信号線１００を介してドア用錠装置２に設けられたドア用錠ユニット２０、表示部３０、ドア制御装置５０、センサー等と接続されている。すなわち、ボックス制御装置９０は、ドア用錠ユニット２０を制御して玄関ドア５の施解錠を行ったり、表示部３０を制御して所定の制御を行ったりすることができる。また、ボックス制御装置９０は、ドア制御装置５０による電子キーＫの認証結果を取得したり、サムターン１３の解錠方向及び施錠方向への操作、玄関ドア５が閉状態から開状態へと切り替わったこと等の状態を取得したりすることができる。
【０１３８】
本実施形態との関係において、ボックス制御装置９０は、記憶部９１、取得部９２、ボックス制御部９３としての機能を備えている。
【０１３９】
記憶部９１は、各種のプログラムやデータを格納している。
【０１４０】
取得部９２は、各種センサーから検知信号を取得したり、ドア制御装置５０から認証結果を取得したりする。取得部９２は、これらの信号を取得すると、これをボックス制御部９３に出力する。すなわち、取得部９２は、ドア用錠ユニット２０に対するユーザーの施錠操作又は解錠操作を取得する機能を担っている。
【０１４１】
ボックス制御部９３は、宅配ボックス３を制御する機能と、ドア用錠装置２と宅配ボックス３とを連携する機能とを備えている。なお、宅配ボックス３を制御する機能については、第２の実施形態と同様である。
【０１４２】
＜ドア用錠装置２と宅配ボックス３とを連携する機能＞
ボックス制御部９３には、ドア用錠ユニット２０に対するユーザーの解錠操作を判定し、かつ、ボックス本体６０内に荷物が着荷している場合には、表示部３０を制御して荷物の着荷を報知するとともに、ボックス用錠装置７０を制御してボックスドア６１の解錠を行う。
【０１４３】
本実施形態に係る宅配ボックスシステム１における処理の流れは、ボックス制御装置９０がドア制御装置５０に代わって制御を行うという点を除き、第１の実施形態に係る宅配ボックスシステム１における処理の流れと同じである。
【０１４４】
このように本実施形態に係る宅配ボックス３は、玄関ドア５にドア用錠装置２を備える住宅Ｈに付設され、荷物の預け入れ及び取り出しが可能な構成となっている。この宅配ボックス３は、内部に荷物を収容可能な一つのボックス本体６０と、ボックス本体６０に設けられ、開閉可能な一つのボックスドア６１と、ボックスドア６１の施解錠を行うボックス用錠装置７０と、ボックス本体内の着荷状況を識別する荷物センサー８１（識別部）と、ドア用錠ユニット２０に対するユーザーの操作状況を取得する取得部９２（ボックス制御装置９０）と、ボックス制御部９３（ボックス制御装置９０）と、を有している。ボックス制御部９３は、ドア用錠ユニット２０に対するユーザーの解錠操作を判定し、かつ、ボックス本体６０内に荷物が着荷している場合には、ドア用錠装置２の表示部３０を制御して荷物の着荷を報知するとともに、ボックス用錠装置７０を制御してボックスドア６１の解錠を行う。
【０１４５】
この構成によれば、ドア用錠装置２が宅配ボックス３と連動することとなる。このため、宅配ボックス３の操作を行わずとも、ドア用錠装置２の操作のみで、宅配ボックス３の操作が可能となる。これにより、ユーザーにとって利便性の高い宅配ボックス３を提供することができる。また、本実施形態によれば、ドア用錠装置２に宅配ボックス３の着荷状態が反映されるので、玄関ドア５を利用する生活動線の中で、宅配ボックス３の着荷状態を認識することができる。この結果、その都度宅配ボックス３を訪ねて着荷状況を確認するといった手間を省くことができる。これにより、住宅Ｈに好適な宅配ボックス３を、ユーザーの利便性を向上しつつ簡素な構成で実現することができる。
【０１４６】
以上、本実施形態に係る宅配ボックスシステムについて説明したが、本発明はこの実施形態に限定されることなく、その発明の範囲において種々の変更が可能である。また、宅配ボックスシステムのみならず、この宅配ボックスシステムを構成するドア用錠装置及び宅配ボックスそれ自体も本発明の一部として機能する。
【０１４７】
また、本実施形態では、ドア用錠装置の施解錠を電子キーで行う方法を例示したが、ドア用錠装置の施解錠は暗証番号等で行うものであってもよい。ドア用錠装置のドア用錠ユニットを電気錠として説明したが、シリンダー等を含む機械式の錠前であってもよい。
【０１４８】
また、本実施形態では、ドア用錠装置が表示部を備える構成となっている。しかしながら、ドア用錠装置は、音や音声で情報を出力するものであってもよく、ユーザーに情報を報知することができる構成を広く含むことができる。
【０１４９】
また、本実施形態では、建物ドアとして玄関ドアを例示したが、これに限定されるものではない。
【０１５０】
また、本実施形態では、一戸建て住宅における利用を前提に宅配ボックスを説明したが、一戸建て住宅以外にも小規模なオフィスや施設等において利用するものであってもよい。
【符号の説明】
【０１５１】
１      宅配ボックスシステム
２      ドア用錠装置
３      宅配ボックス
５      玄関ドア
１０    操作ハンドル
２０    ドア用錠ユニット
３０    表示部
４０    リーダー
５０    ドア制御装置
５１    記憶部
５２    認証部
５３    取得部
５４    ドア制御部
５５    通信部
６０    ボックス本体
６１    ボックスドア
６５    ポスト
６６    カバー
７０    ボックス用錠装置
８０    閉扉センサー
８１    荷物センサー
８２    解錠ボタン
９０    ボックス制御装置
９１    記憶部
９２    取得部
９３    ボックス制御部
９５    通信部
１００  信号線
１１０  通信線
Ｈ      一戸建て住宅
Ｋ      電子キー
【図１】
2019124079.tif 000003
【図２】
2019124079.tif 000004
【図３】
2019124079.tif 000005
【図４】
2019124079.tif 000006
【図５】
2019124079.tif 000007
【図６】
2019124079.tif 000008
【図７】
2019124079.tif 000009
【図８】
2019124079.tif 000010